【手続補正書】
【提出日】平成29年12月27日(2017.12.27)
【手続補正１】
【補正対象書類名】明細書
【補正対象項目名】発明の名称
【補正方法】変更
【補正の内容】
【発明の名称】露出制御装置、その制御方法、およびプログラム、並びに撮像装置
【手続補正２】
【補正対象書類名】明細書
【補正対象項目名】０００１
【補正方法】変更
【補正の内容】
【０００１】
本発明は、露出制御装置、その制御方法、およびプログラム、並びに撮像装置に関し、特に、動画撮影の際の露出制御に関する。
【手続補正３】
【補正対象書類名】明細書
【補正対象項目名】００１２
【補正方法】変更
【補正の内容】
【００１２】
そこで、本発明の目的は、顔検出の誤検知および揺らぎに起因する露出の影響を防止するとともに、物体が横切った際の露出の影響を抑えることのできる撮像装置、その制御方法、およびプログラム、並びに撮像装置を提供する。
【手続補正４】
【補正対象書類名】明細書
【補正対象項目名】００１３
【補正方法】変更
【補正の内容】
【００１３】
上記の目的を達成するため、本発明による露出制御装置は、被写体を撮像する際の露出を制御する露出制御装置であって、前記被写体を撮像して得られた画像において少なくとも１つの予め定められた特定領域を検知して検知結果を得る検知手段と、前記検知手段によって少なくとも１つの特定領域が検知された場合に、予め定められた選択条件に基づいて前記検知結果のうちの１つを選択して選択検知結果とする選択手段と、前記選択検知結果が存在する場合に、予め設定された第１の測光モードに応じて露出制御を行う制御手段と、前記選択検知結果を用いて露出制御を行っているか否かを判定する第１の判定手段と、前記第１の判定手段によって前記選択検知結果を用いて露出制御を行っていないと判定されると、前記選択検知結果が所定の期間において変化しているか否かを判定する第２の判定手段とを有し、前記選択手段は、前記第２の判定手段によって前記選択検知結果が変化していないと判定された場合に前記検知手段の最新の検知結果を前記選択検知結果とし、前記第２の判定手段によって前記選択検知結果が変化していると判定された場合に前記選択検知結果を変えず、前記制御手段は、前記選択検知結果に基づく第１の露出を用いて露出制御が行われている状態において、前記検知手段により前記特定領域が検知されない状態となった場合に、所定の時間が経過するまで前記第１の露出を維持するように制御することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００４４
【補正方法】変更
【補正の内容】
【００４４】
カメラマイコン１０１は、算出したレンズ駆動量をレンズマイコン２０１に送る。一方、レンズ群２０２の位置は、エンコーダ２０４によって検知され、レンズ位置情報としてレンズマイコン２０１に送られる。
【手続補正９】
【補正対象書類名】明細書
【補正対象項目名】００５４
【補正方法】変更
【補正の内容】
【００５４】
一方、撮影待機ボタン１１４が操作されないと（ステップＳ１０９において、ＮＯ）、カメラマイコン１０１はステップＳ１０３の処理に戻る。なお、録画開始ボタン１１５が操作されないと（ステップＳ１０５において、ＮＯ）、カメラマイコン１０１はステップＳ１０９の処理に進む。
【手続補正１０】
【補正対象書類名】明細書
【補正対象項目名】００８９
【補正方法】変更
【補正の内容】
【００８９】
例えば、上記の実施の形態の機能を制御方法として、この制御方法を露出制御装置に実行させるようにすればよい。また、上述の実施の形態の機能を有するプログラムを露出制御装置が備えるコンピュータに実行させるようにしてもよい。なお、プログラムは、例えば、コンピュータに読み取り可能な記録媒体に記録される。
【手続補正１１】
【補正対象書類名】特許請求の範囲
【補正対象項目名】全文
【補正方法】変更
【補正の内容】
【特許請求の範囲】
【請求項１】
被写体を撮像する際の露出を制御する露出制御装置であって、
前記被写体を撮像して得られた画像において少なくとも１つの予め定められた特定領域を検知して検知結果を得る検知手段と、
前記検知手段によって少なくとも１つの特定領域が検知された場合に、予め定められた選択条件に基づいて前記検知結果のうちの１つを選択して選択検知結果とする選択手段と、
前記選択検知結果が存在する場合に、予め設定された第１の測光モードに応じて露出制御を行う制御手段と、
前記選択検知結果を用いて露出制御を行っているか否かを判定する第１の判定手段と、
前記第１の判定手段によって前記選択検知結果を用いて露出制御を行っていないと判定されると、前記選択検知結果が所定の期間において変化しているか否かを判定する第２の判定手段とを有し、
前記選択手段は、前記第２の判定手段によって前記選択検知結果が変化していないと判定された場合に前記検知手段の最新の検知結果を前記選択検知結果とし、前記第２の判定手段によって前記選択検知結果が変化していると判定された場合に前記選択検知結果を変えず、
前記制御手段は、前記選択検知結果に基づく第１の露出を用いて露出制御が行われている状態において、前記検知手段により前記特定領域が検知されない状態となった場合に、所定の時間が経過するまで前記第１の露出を維持するように制御することを特徴とする露出制御装置。
【請求項２】
前記露出制御に用いる前記選択検知結果が存在しないと、前記制御手段は前記第１の測光モードと異なる第２の測光モードに応じて露出制御を行うことを特徴とする請求項１に記載の露出制御装置。
【請求項３】
前記第１の測光モードは前記画像を複数のエリアに分けて前記エリアの各々について測光を行って露出を決定するモードであり、前記第２の測光モードは前記画像の中央に重みをつけて測光を行って露出を決定するモードであることを特徴とする請求項２に記載の露出制御装置。
【請求項４】
前記特定領域は、人物の顔領域であり、前記選択手段は、前記選択条件を用いて前記顔領域の向きが所定の範囲から外れる顔領域を除外しその大きさが最も大きい前記顔領域を前記選択検知結果として選択することを特徴とする請求項１〜３のいずれか１項に記載の露出制御装置。
【請求項５】
被写体を撮像して得られた画像から顔領域を検知する検知手段と、
前記顔領域に重みを付けて測光を行う第１の測光方式又は前記第１の測光方式とは異なる第２の測光方式による測光結果に基づいて露出制御を行う露出制御手段と、
を有し、
前記第１の測光方式では、前記検知手段によって１つ以上の前記顔領域が検知された場合に、所定の条件を満たす顔領域に重みを付けた測光を行い、
前記第２の測光方式は、前記検知手段によって前記所定の条件を満たす顔領域が検知されない場合に実行され、
前記露出制御手段は、前記第１の測光方式で露出制御を行っている際に、前記所定の条件を満たす顔領域が検知されなくなった場合であって前記検知手段が前記所定の条件を満たす新たな顔領域を検知した場合は、前記第１の測光方式を用いて再び露出制御を行い、前記検知手段が前記所定の条件を満たす新たな顔領域が検知しない場合は、前記第２の測光方式を用いて露出制御を行うことを特徴とする露出制御装置。
【請求項６】
前記第２の測光方式では、画像の中央に重みを付けて測光を行うことを特徴とする請求項５に記載の露出制御装置。
【請求項７】
前記露出制御手段は、前記第１の測光方式から前記第２の測光方式に変更する際に、前記第２の測光方式に変更する前の露出を所定の時間だけ維持した後に、前記第２の測光方式を用いて露出制御を行うことを特徴とする請求項５又は６に記載の露出制御装置。
【請求項８】
前記露出制御手段は、前記第１の測光方式から前記第２の測光方式に変更する際に、前記検出手段によって前記所定の時間において前記所定の条件を満たす顔領域が新たに検知された場合は、前記第２の測光方式に変更することなく、当該新たに検知された顔領域に基づいて前記第１の測光方式で露出制御を行うことを特徴とする請求項７に記載の露出制御装置。
【請求項９】
前記所定の条件は、前記顔領域の大きさ、位置、および向きの少なくとも１つに基づいて、優先度が高い顔領域を選択するための条件であることを特徴とする請求項５〜８のいずれか１項に記載の露出制御装置。
【請求項１０】
前記被写体を撮像して画像を得る撮像手段と、
請求項１〜９のいずれか１項に記載の露出制御装置と、
前記撮像手段で得られた画像を記録する記録手段と、
を有することを特徴とする撮像装置。
【請求項１１】
被写体を撮像する際の露出を制御する露出制御装置の制御方法であって、
前記被写体を撮像して得られた画像において少なくとも１つの予め定められた特定領域を検知して検知結果を得る検知ステップと、
前記検知ステップで少なくとも１つの特定領域が検知された場合に、予め定められた選択条件に基づいて前記検知結果のうちの１つを選択して選択検知結果とする選択ステップと、
前記選択検知結果が存在する場合に、予め設定された測光モードに応じて露出制御を行う制御ステップと、
前記選択検知結果を用いて露出制御を行っているか否かを判定する第１の判定ステップと、
前記第１の判定ステップで前記選択検知結果を用いて露出制御を行っていないと判定されると、前記選択検知結果が所定の期間において変化しているか否かを判定する第２の判定ステップとを有し、
前記選択ステップでは、前記第２の判定ステップで前記選択検知結果が変化していないと判定された場合に前記検知ステップでの最新の検知結果を前記選択検知結果とし、前記第２の判定ステップで前記選択検知結果が変化していると判定された場合に前記選択検知結果を変えず、
前記制御ステップでは、前記選択検知結果に基づく第１の露出を用いて露出制御が行われている状態において、前記検知ステップにより前記特定領域が検知されない状態となった場合に、所定の時間が経過するまで前記第１の露出を維持するように制御することを特徴とする制御方法。
【請求項１２】
被写体を撮像して得られた画像から顔領域を検知する検知ステップと、
前記顔領域に重みを付けて測光を行う第１の測光方式、または、前記第１の測光方式とは異なる第２の測光方式による測光結果に基づいて露出制御を行う露出制御ステップと、
を有し、
前記第１の測光方式では、１つ以上の前記顔領域が検知された場合に、所定の条件を満たす顔領域に重みを付けた測光を行い、
前記第２の測光方式は、前記所定の条件を満たす顔領域が検知されない場合に実行され、
前記露出制御ステップでは、前記第１の測光方式で露出制御を行っている際に、前記検知ステップで前記所定の条件を満たす顔領域が検知されなくなった場合であって前記所定の条件を満たす新たな顔領域を検知した場合は、前記第１の測光方式を用いて再び露出制御を行い、前記検知ステップで前記所定の条件を満たす新たな顔領域が検知されない場合は、前記第２の測光方式を用いて露出制御を行うことを特徴とする露出制御方法。
【請求項１３】
請求項１２又は１３に記載の露出制御方法をコンピュータで実行させるためのコンピュータで読み取り可能なプログラム。